(57)【特許請求の範囲】
【請求項１】
フィールドと、前記フィールドを囲むスタンドと、前記フィールドの上方に開口を有する状態で前記スタンドの上方を覆う屋根とを備え、
前記屋根におけるフィールド側の端部に、上下向きの遮音壁を、前記端部に沿って不連続的に備えているスタジアム。
【請求項２】
前記フィールドを平面視矩形に形成し、
前記屋根は、前記フィールドの四隅部に対応する前記スタンドの各隅部領域の上方を覆うとともに、前記端部が平面視で前記フィールドの四辺に対して傾斜する屋根部を備え、
前記遮音壁を、前記フィールドの四辺部に対応する前記スタンドの各辺部領域の上方において不連続となる状態で備えている請求項１に記載のスタジアム。
【請求項３】
前記屋根部の設置高さよりも低い高さで前記辺部領域の上方を覆う別の屋根部を備えている請求項２に記載のスタジアム。
【請求項４】
前記屋根部を、前記フィールドから離れる側が低くなる勾配屋根に構成し、
前記遮音壁を前記端部から下方に延出し、
前記遮音壁と前記屋根部の屋根板とで囲まれた空間を前記隅部領域に開放している請求項２又は３に記載のスタジアム。
【発明の詳細な説明】
【技術分野】
【０００１】
本発明は、フィールドと、前記フィールドを囲むスタンドと、前記フィールドの上方に開口を有する状態で前記スタンドの上方を覆う屋根とを備えたスタジアムに関する。
【背景技術】
【０００２】
上記のようなスタジアム（競技場）としては、スタジアム（競技場）のフィールド面（グラウンド面）に入る光の量を多くするために、屋根（カバー）におけるフィールド側の端部（屋根のエッジ）に、その端部を一周する形で上下向きの光反射体としての波形シートを備えるとともに、スタジアムの使用中に、波形シートからの反射光で観客の目がくらむことがないように、又、スタンドからのピッチの眺めが波形シートによって妨げられることがないように、波形シートを、スタジアムの使用中は退避させることが可能な移動式、巻き上げ式、又は、折り畳み式に構成するものがある（例えば特許文献１参照）。
【先行技術文献】
【特許文献】
【０００３】
【特許文献１】特表２００３−５２９００９号公報（段落番号０００７、０００９、００１０、００１２、００１６、図１、図２）
【発明の概要】
【発明が解決しようとする課題】
【０００４】
上記の構成では、スタジアムのフィールド面に入る光の量が多くなることから、フィールドに張った天然芝に対する生育環境が向上する。しかしながら、上記の構成は、屋根におけるフィールド側の端部に採光用の波形シートを備え、かつ、スタジアムの使用中は、その波形シートの退避を可能にするためものであることから、スタジアムの使用中にスタンドから湧き上がる歓声などがスタジアム外に漏れることを抑制する遮音性の面においては改善の余地がある。
【０００５】
本発明の目的は、スタジアムの遮音性を高めつつ、フィールドに張った天然芝に対する生育環境を向上させることにある。
【課題を解決するための手段】
【０００６】
本発明の課題解決手段では、
フィールドと、前記フィールドを囲むスタンドと、前記フィールドの上方に開口を有する状態で前記スタンドの上方を覆う屋根とを備え、
前記屋根におけるフィールド側の端部に、上下向きの遮音壁を、前記端部に沿って不連続的に備えている。
【０００７】
この手段によると、遮音壁を備えない箇所においては、スタンドからの歓声などの音の回折点が、屋根におけるフィールド側の端部になる。これに対し、遮音壁を備える箇所においては、遮音壁が、スタンドからの歓声などの音に対しては、屋根のフィールド側への延出長さを長くすることと同じ役割を果たすことになる。そのため、遮音壁を備えない箇所よりも、スタンドからの音の回折点がスタンドの音源部及びスタジアム外の受音部から遠くなり、スタンドの音源部からスタジアム外の受音部への伝搬距離が長くなる。その結果、スタンドからの音に対する減衰量、殊に歓声などの周波数の高い音に対する減衰量が大きくなる。
【０００８】
そして、遮音壁を不連続的に備えることにより、遮音壁を連続的に備える場合に比較して、遮音壁が太陽光を遮ることによって生じるフィールドでの日陰領域が狭くなる。これにより、フィールドに張った天然芝に対する直接光としての太陽光の照射範囲が広くなるとともに照射時間が長くなる。殊に、遮音壁の不連続箇所を太陽の軌道を考慮してスタジアムの南北方向又は東西方向に設定することにより、フィールドの天然芝に対する採光をより良好に行える。
【０００９】
又、遮音壁の不連続箇所からの通風により、スタジアム内に対する通気性が良くなり、スタジアム内の換気が促進する。これにより、フィールドに張った天然芝の光合成が促進する。
【００１０】
従って、スタンドからの歓声などの音に対する高い減衰効果を得られるようにしてスタジアムの遮音性を高めつつ、フィールドに張った天然芝に対する生育環境を向上させることができる。
【００１１】
本発明をより好適なものにするための手段の一つとして、
前記フィールドを平面視矩形に形成し、
前記屋根は、前記フィールドの四隅部に対応する前記スタンドの各隅部領域の上方を覆うとともに、前記端部が平面視で前記フィールドの四辺に対して傾斜する屋根部を備え、
前記遮音壁を、前記フィールドの四辺部に対応する前記スタンドの各辺部領域の上方において不連続となる状態で備えている。
【００１２】
この手段によると、スタンドの各隅部領域の上方では遮音壁を備えることから、スタンドの各隅部領域からの音に対しては、遮音壁による高い減衰効果が得られる。
【００１３】
そして、スタンドの各辺部領域の上方にはフィールドへの太陽光の照射及び通風を遮る遮音壁を備えないことから、フィールドの天然芝に対する日当たり及び通風が良好になる。又、各辺部領域の観客が対向する辺部領域の上方を見上げたときに遮音壁が視界に入り難くなることから、各辺部領域の観客は遮音壁が視界に入ることに起因した圧迫感を感じ難くなる。
【００１４】
しかも、遮音壁を照明器具の取り付けに利用することにより、平面視矩形のフィールドをその四辺のうちの対向する２辺にゴールを備える状態で使用するサッカーなどの競技において好適な、競技者の視界に照明器具が入り難いスタンドの各隅部領域における所定高さからの照明を、照明専用の支柱部材などを設けることなく行える。
【００１５】
従って、スタンドの各隅部領域からの歓声などの音に対する遮音性、及び、スタンドの各辺部領域での観客の居心地を高めつつ、フィールドの天然芝に対する生育環境を更に向上させることができる。又、設備費の上昇を抑制しつつ適正な競技環境を確保することができる。
【００１６】
本発明をより好適なものにするための手段の一つとして、
前記屋根部の設置高さよりも低い高さで前記辺部領域の上方を覆う別の屋根部を備えている。
【００１７】
この手段によると、スタンド全域の上方を屋根で覆うことができる。そして、別の屋根部の設置個所においては、スタンドからの歓声などの音の回折点が別の屋根部におけるフィールド側の端部になる。これにより、別の屋根部を設置しない場合に比較して、スタンドからの音の回折点がスタンドの音源部及びスタジアム外の受音部から遠くなり、スタンドの音源部からスタジアム外の受音部への伝搬距離が長くなる。その結果、スタンドからの音に対する減衰量、殊に歓声などの周波数の高い音に対する減衰量が大きくなり、スタンドからの音に対する遮音性が高くなる。
【００１８】
又、別の屋根部の設置高さが低いことにより、それに応じて、別の屋根部で上方が覆われたスタンドの各辺部領域における開口からの風雨の吹き込み領域が減少するとともに、別の屋根部に対向するスタンド側から開口を見上げたときに視野に入る開放空間領域が広くなる。これにより、スタンドの各辺部領域の観客が開口からの風雨に晒され難くなるとともに、別の屋根部に対向するスタンド側の観客が開口を見上げたときに得られる開放感が向上する。つまり、スタンドの各辺部領域などにおける観客の居心地を高めることができる。
【００１９】
更に、別の屋根部を屋根部と同じ高さに設置する場合に比較して、別の屋根部が太陽光を遮ることによって生じるフィールドでの日陰領域が狭くなる。これにより、フィールドの天然芝に対する直接光としての太陽光の照射範囲が広くなるとともに照射時間が長くなる。殊に、別の屋根部の設置個所を太陽の軌道を考慮してスタジアムの南北方向又は東西方向に設定することにより、フィールドの天然芝に対する採光をより良好に行える。
【００２０】
従って、スタンドの全域からの歓声などの音に対する遮音性、及び、スタンドの全域での観客の居心地を高めつつ、フィールドの天然芝に対する生育環境を向上させることができる。
【００２１】
本発明をより好適なものにするための手段の一つとして、
前記屋根部を、前記フィールドから離れる側が低くなる勾配屋根に構成し、
前記遮音壁を前記端部から下方に延出し、
前記遮音壁と前記屋根部の屋根板とで囲まれた空間を前記隅部領域に開放している。
【００２２】
この手段によると、各屋根部からフィールド側への雨水の流下を防止することができる。又、遮音壁を屋根のフィールド側の端部から上方に延出する場合に生じる、開口からスタジアム内に射し込む太陽光が遮音壁により制限されて、フィールドの天然芝に対する太陽光の照射範囲が狭くなる、などの不具合を回避することができる。そして、各屋根部で覆われる各隅部領域の上方空間を高さ方向に拡張することができる。
【００２３】
従って、降雨による観戦状況の低下を抑制し、遮音壁によるフィールドの天然芝に対する生育環境の低下を回避しつつ、スタンドの各隅部領域での開放感を向上させることができる。
【図面の簡単な説明】
【００２４】
【図１】スタジアムの平面図である。
【図２】スタジアムの横断平面図である。
【図３】図１におけるIII−III断面図である。
【図４】図１におけるIV−IV断面図である。
【図５】遮音壁を備える第１屋根部でのスタンドからの音の回折点を示す要部の縦断側面図である。
【図６】第２屋根部でのスタンドからの音の回折点を示す要部の縦断側面図である。
【発明を実施するための形態】
【００２５】
以下、本発明を実施するための形態の一例として、本発明を、スタジアムの一例であるサッカー専用スタジアムに適用した実施形態を図面に基づいて説明する。
【００２６】
図１〜４に示すように、本実施形態で例示するサッカー専用スタジアムは、四隅を面取りした南北方向に長い平面視矩形状で、天然芝が張られたフィールド１と、フィールド１を囲むスタンド２と、フィールド１の上方に開口３を有する状態でスタンド２の上方を覆う屋根４とを備えている。
【００２７】
図１及び図２に示すように、フィールド１は、一対の長辺部１Ａ，１Ｂと一対の短辺部１Ｃ，１Ｄとを備える平面視矩形に形成している。そして、フィールド１の全域にわたって天然芝を張り詰めている。
【００２８】
図１〜６に示すように、スタンド２は、四隅を面取りした平面視矩形枠状で、かつ、その外周側ほど高くなるすり鉢状に形成している。そして、多数の観客席５をフィールド１を囲む配置で多段に整列装備することにより、フィールド１の長辺部１Ａ，１Ｂに沿うメインスタンド部２Ａとバックスタンド部２Ｂ、フィールド１の短辺部１Ｃ、１Ｄに沿うホームスタンド部２Ｃとアウェイスタンド部２Ｄ、及び、それらの間に位置する四隅のコーナースタンド部２Ｅ、などを有するように構成している。
【００２９】
メインスタンド部２Ａ及びバックスタンド部２Ｂは、それらの中央側でスタンド外周側の２箇所の位置に屋根用の第１支持部材６を備えている。又、それらに隣接するコーナースタンド部２Ｅとの間のスタンド外周側の位置に、それぞれ、屋根用の第２支持部材７を備えている。
【００３０】
ホームスタンド部２Ｃ及びアウェイスタンド部２Ｄは、それらの中央部でスタンド外周側の２箇所の位置に屋根用の第１支持部材６を備えている。又、それらに隣接するコーナースタンド部２Ｅとの間のスタンド外周側の位置に、それぞれ、屋根用の第２支持部材７を備えている。
【００３１】
屋根４は、フィールド１の四隅部１Ｅに対応するスタンド２の各隅部領域Ａ１の上方を覆うとともに、フィールド側の端部４ａが平面視でフィールド１の四辺に対して傾斜する屋根部４Ａ（以下、第１屋根部４Ａと称する）を備えている。又、フィールド１の四辺部１Ａ〜１Ｄに対応するスタンド２の各辺部領域Ａ２の上方を覆うとともに、フィールド側の端部４ｂが平面視でフィールド１の四辺に沿う別の屋根部４Ｂ（以下、第２屋根部４Ｂと称する）を備えている。
【００３２】
各第１屋根部４Ａは、フィールド１の四辺に対する傾斜姿勢で各隅部領域Ａ１の上方に配備する第１支持梁８、第１支持梁８に対する交差姿勢で第１支持梁８に連結する一対の第２支持梁９、及び、第１支持梁８及び一対の第２支持梁９の各上弦により支持される第１屋根板１０、などから構成している。尚、各第１屋根部４Ａに備える桁や小梁などは図示を省略している。
【００３３】
各第２屋根部４Ｂは、フィールド１の四辺に沿う姿勢で隣接する第１支持梁８にわたる第３支持梁１１、及び、第１支持梁８及び第３支持梁１１の各下弦により支持される第２屋根板１２、などから構成している。尚、各第２屋根部４Ｂに備える桁や小梁などは図示を省略している。
【００３４】
各第１支持梁８と各第２支持梁９と各第３支持梁１１とのそれぞれには、軽量で高い強度を有するトラス梁を採用している。各第１屋根板１０と各第２屋根板１２とのそれぞれには、金属屋根に使用する建材として一般的な折板を採用している。
【００３５】
各第１支持梁８は、それらの下方に位置するフィールド１の長辺部１Ａ，１Ｂと短辺部１Ｃ，１Ｄとに対する４５度の傾斜姿勢で、各第１支持梁８の下弦が水平になるように、メインスタンド部２Ａ又はバックスタンド部２Ｂの第１支持部材６とホームスタンド部２Ｃ又はアウェイスタンド部２Ｄの第１支持部材６とに架設している。そして、一対の第２支持梁９との連結箇所の間に位置する中央側トラス部８Ａと、第２支持梁９との連結箇所から第１支持部材６に向かう一対の端部側トラス部８Ｂとを備えている。中央側トラス部８Ａは、その全長にわたって梁成が第１支持梁８での最大値で一定になるように構成している。各端部側トラス部８Ｂは、それらの梁成が、第２支持梁９との連結箇所では第１支持梁８での最大値となり、第２支持梁９との連結箇所から離れるほど小さくなるように構成している。これにより、各第１支持梁８を扁平な台形状に構成している。
【００３６】
各第２支持梁９は、第１支持梁８に対する９０度の交差姿勢で、各第２支持梁９の下弦が水平になるように、第１支持梁８と第２支持部材７とに架設している。そして、各第２支持梁９における第１支持梁８との連結端での梁成が、第１支持梁８の最大梁成と同じ大きさで最大になり、第１支持梁８との連結端から離れるほど梁成が小さくなるように構成している。これにより、各第２支持梁９を扁平な三角形状に構成している。
【００３７】
各第１屋根板１０は、中央側屋根板部１０Ａと、その両横に連接する一対の端部側屋根板部１０Ｂとを備えている。そして、それらのフィールド側の端部１０ａの位置が、第１支持梁８の架設位置と平面視で一致するように構成している。
【００３８】
中央側屋根板部１０Ａは、第１支持梁８における中央側トラス部８Ａの上弦と一対の第２支持梁９の上弦とにわたる平面視正方形状で、屋根４の外周側ほど低くなる下がり勾配を有するように構成している。そして、この構成により、主にコーナースタンド部２Ｅの上方を覆う位置に配備している。
【００３９】
一対の端部側屋根板部１０Ｂは、第１支持梁８における端部側トラス部８Ｂの上弦と第２支持梁９の上弦とにわたる平面視正三角形状で、屋根４の外周側ほど低くなる下がり勾配を有するように構成している。そして、この構成により、一方の端部側屋根板部１０Ｂを、コーナースタンド部２Ｅに隣接するメインスタンド部２Ａ又はバックスタンド部２Ｂのコーナースタンド側部分２Ａａ，２Ｂａの上方を覆う位置に配備している。又、他方の端部側屋根板部１０Ｂを、コーナースタンド部２Ｅに隣接するホームスタンド部２Ｃ又はアウェイスタンド部２Ｄのコーナースタンド側部分２Ｃａ，２Ｄａの上方を覆う位置に配備している。
【００４０】
つまり、各第１屋根部４Ａを、平面視台形でフィールド１から離れる側である屋根４の外周側が低くなる勾配屋根に構成している。そして、各第１屋根部４Ａにより覆われるスタンド２の各隅部領域Ａ１を、各コーナースタンド部２Ｅに、それぞれのコーナースタンド部２Ｅに隣接するメインスタンド部２Ａ又はバックスタンド部２Ｂのコーナースタンド側部分２Ａａ，２Ｂａと、ホームスタンド部２Ｃ又はアウェイスタンド部２Ｄのコーナースタンド側部分２Ｃａ，２Ｄａとを加えた平面視台形の領域に設定している。
【００４１】
各第３支持梁１１は、各第３支持梁１１の上弦及び下弦が水平になるように、隣接する第１支持梁８の第２支持梁９との連結箇所同士にわたって架設している。そして、各第３支持梁１１の梁成が、第３支持梁１１の全長にわたって第１支持梁８の最大梁成と同じ大きさで一定になるように構成している。これにより、各第３支持梁１１を横長の矩形に構成している。
【００４２】
各第２屋根板１２は、対応するスタンド部２Ａ〜２Ｄの上方において隣接する第１支持梁８の下弦にわたる平面視台形又は三角形で、屋根４の外周側が低くなる最低限の水勾配を有するように構成している。そして、それらのフィールド側の端部１２ａが、対応するスタンド部２Ａ〜２Ｄの前端部２ａ〜２ｄに沿う姿勢で前端部２ａ〜２ｄと略同じ長さを有するとともに、それらのフィールド側の端部１２ａの位置と対応するスタンド部２Ａの前端部２ａ〜２ｄの位置とが平面視で略一致するように構成している。
【００４３】
つまり、各第２屋根部４Ｂを、平面視台形又は三角形で最低限の水勾配を有する平屋根に構成して、各第１屋根部４Ａの設置高さよりも低い高さで設置している。そして、各第２屋根部４Ｂにより覆われるスタンド２の各辺部領域Ａ２を、メインスタンド部２Ａとバックスタンド部２Ｂとホームスタンド部２Ｃとアウェイスタンド部２Ｄとのそれぞれにおけるコーナースタンド側部分２Ａａ，２Ｂａ，２Ｃａ，２Ｄａを除いた平面視台形又は三角形の中央側部分２Ａｂ，２Ｂｂ，２Ｃｂ，２Ｄｂに設定している。又、各第２屋根部４Ｂのフィールド側の端部４ｂとなる各第２屋根板１２のフィールド側の端部１２ａにより、フィールド上方の開口３を形成する屋根４の内周縁の略全周を形成している。
【００４４】
以上の構成により、屋根４を、スタンド全域の上方を覆う平面視矩形枠状に形成している。又、フィールド上方の開口３を、平面視でスタンド２の内周縁と略一致する平面視矩形状に形成している。これにより、開口３からスタジアム内への太陽光の取り入れ及び通風などを可能にしながら、開口３からスタジアム内に入り込む風雨のスタンド２への吹き込みを抑制している。
【００４５】
又、各第１屋根部４Ａを前述した平面視台形の勾配屋根に構成し、かつ、各第２屋根部４Ｂを前述した平面視台形又は三角形の平屋根に構成することにより、スタジアムの南北方向及び東西方向に配置する各第２屋根部４Ｂを各第１屋根部４Ａの設置高さよりも低い高さに設置している。そして、このように各第１屋根部４Ａ及び各第２屋根部４Ｂを設置することにより、屋根４を、隣接する第１屋根部４Ａの間、すなわち、屋根４における東西南北の各位置に、側面視逆台形又は逆三角形の凹部４Ｃを有する形状に構成している（図３及び参図４参照）。
【００４６】
これにより、各第２屋根部４Ｂを各第１屋根部４Ａと同じ設置高さに設置する場合に比較して、各第２屋根部４Ｂが太陽光を遮ることによって生じるフィールド１での日陰領域を狭くすることができる。その結果、フィールド１の天然芝に対する直接光としての太陽光の照射範囲が広くなるとともに照射時間が長くなる。つまり、フィールド１の天然芝に対する生育環境を向上させることができる。
【００４７】
又、各第２屋根部４Ｂの設置高さが低いことにより、それに応じて、各第２屋根部４Ｂで上方が覆われたスタンド２の辺部領域Ａ２における開口３からの風雨の吹き込み領域が減少するとともに、各第２屋根部４Ｂに対向するスタンド部２Ａ〜２Ｄなどから開口３を見上げたときに視野に入る開放空間領域が広くなる。これにより、スタンド２における各辺部領域Ａ２の観客が開口３からの風雨に晒され難くなるとともに、各第２屋根部４Ｂに対向するスタンド部２Ａ〜２Ｄなどの観客が開口３を見上げたときに得られる開放感が向上する。つまり、スタンド２の各辺部領域Ａ２などにおける観客の居心地を高めることができる。
【００４８】
そして、各第１屋根部４Ａで上方が覆われたスタンド２の各隅部領域Ａ１においては、各第１屋根部４Ａの第１屋根板１０と遮音壁１６とで囲まれた空間を各隅部領域Ａ１に開放することになり、これにより、スタンド２の各隅部領域Ａ１での上方空間を拡張することができる。その結果、スタンド２の各隅部領域Ａ１での開放感を向上させることができる。
【００４９】
図１及び図３〜５に示すように、各第１支持梁８は、それらが有する複数の三角形又は逆三角形の空間のうち、第１支持梁８の真ん中に位置する逆三角形の空間を除いた他の空間の全てに、各空間と同じ三角形又は逆三角形に形成した金属製の折板１３を嵌め込んだ状態で取り付けている。又、真ん中の逆三角形の空間に、その空間と同じ逆三角形に形成して複数の照明器具１４を整列配備した照明体１５を嵌め込んだ状態で取り付けている。そして、このように第１支持梁８の各空間を折板１３及び照明体１５で塞ぐことにより、各第１支持梁８が上下向きの遮音壁１６として機能するように構成している。
【００５０】
つまり、このスタジアムでは、屋根４におけるフィールド側の端部となる各第１屋根部４Ａのフィールド側の端部４ａと各第２屋根部４Ｂのフィールド側の端部４ｂのうち、各第１屋根部４Ａのフィールド側の端部４ａに、上下向きの遮音壁１６を、各第１屋根部４Ａのフィールド側の端部４ａに沿って、それらの端部１０ａから下方に延出する状態で備えている。そして、これにより、屋根４におけるフィールド側の端部に、上下向きの遮音壁１６を、フィールド側の端部に沿って不連続的に、具体的には、スタンド２の各辺部領域Ａ２の上方に位置する各第２屋根部４Ｂにおいて不連続となる状態で備えている。
【００５１】
上記の構成により、遮音壁１６を備えない各第２屋根部４Ｂにおいては、各第２屋根部４Ｂで上方が覆われたスタンド２の各辺部領域Ａ２などからの歓声などの音の回折点Ｐが、各第２屋根部４Ｂのフィールド側の端部４ｂになる（図６参照）。又、遮音壁１６を備える各第１屋根部４Ａにおいては、遮音壁１６が、スタンド２からの歓声などの音に対しては、各第１屋根部４Ａのフィールド側への延出長さを長くすることと同じ役割を果たすことになる。これにより、遮音壁１６を備えない場合には、各第１屋根部４Ａのフィールド側の端部４ａになっていたスタンド２からの音の回折点Ｐを、各第１屋根部４Ａのフィールド側の端部４ａよりも、スタンド２の音源部及びスタジアム外の受音部から開口３の中央側に遠ざけることができる。具体的には、スタンド２の音源部と第１支持梁８の下弦とを結ぶ経路Ｒと、第１支持梁８の梁成に対する垂直二等分線Ｌとの交点Ｘまで、スタンド２の音源部及びスタジアム外の受音部から離すことができる（図５参照）。
【００５２】
つまり、スタンド全域の上方を覆う屋根４を備えることにより、屋根４を備えない場合に比較して、スタンド２の音源部からスタジアム外の受音部への伝搬距離が長くなり、結果、スタンド２からの音に対する減衰量、殊に歓声などの周波数の高い音に対する減衰量が大きくなる。
【００５３】
そして、屋根４の各第１屋根部４Ａにおいては、それらのフィールド側の端部４ａに遮音壁１６を備えることにより、各第１屋根部４Ａで上方が覆われたスタンド２の各隅部領域Ａ１又はその付近からの歓声などの音に関しては、その音源部からスタジアム外の受音部への伝搬距離が更に長くなる。その結果、スタンド２の各隅部領域Ａ１又はその付近からの音に対する減衰量、殊に歓声などの周波数の高い音に対する減衰量が更に大きくなる。
【００５４】
又、遮音壁１６を、各第１屋根部４Ａのフィールド側の端部４ａから下方に延出することにより、その延出長さに応じて、各第１屋根部４Ａで上方が覆われたスタンド２の隅部領域Ａ１における開口３からの風雨の吹き込み領域が減少する。これにより、スタンド２における各隅部領域Ａ１の観客が開口３からの風雨に更に晒され難くなることから、スタンド２の各隅部領域Ａ１における観客の居心地を更に高めることができる。
【００５５】
更に、設置高さを低くする各第２屋根部４Ｂには遮音壁１６を備えないことにより、各第２屋根部４Ｂに遮音壁１６を立設する場合に生じる、開口３からスタジアム内に射し込む太陽光が遮音壁１６により制限されてフィールド１の天然芝に対する太陽光の照射範囲が狭くなる、又は、各第２屋根部４Ｂに遮音壁１６を垂下装備する場合に生じる、各第２屋根部４Ｂで上方が覆われたスタンド２の各辺部領域Ａ２などにおける観客の視野が制限される、などの不具合を回避することができる。
【００５６】
従って、スタンド２からの歓声などの音に対する高い減衰効果を得ることができてスタジアムの遮音性を高めることができるとともに、スタンド２での観客の居心地、及び、フィールド１に張った天然芝に対する生育環境を向上させることができる。
【００５７】
しかも、遮音壁１６を照明器具１４の取り付けに利用することにより、対向する短辺１ｃ、１ｄにゴールを備える状態でフィールド１を使用するサッカーなどの競技において好適な、競技者の視界に照明器具１４が入り難いスタンド２の各隅部領域Ａ１における所定高さからの照明を、照明専用の支柱部材などを設けることなく行える。その結果、設備費の上昇を抑制しつつ適正な競技環境を確保することができる。
【００５８】
〔別実施形態〕
【００５９】
〔１〕スタジアムは、サッカー専用スタジアム以外に、ラグビー場、野球場、フィールドの外周にトラックを備えた陸上競技場、などであってもよい。
【００６０】
〔２〕スタジアム及びフィールド１の平面視形状は、競技種目などに応じて、矩形や正方形などの四角形、又は、卵形や長円形や楕円形などのオーバル形状、などを採用してもよい。又、スタジアム及びフィールド１の平面視形状として矩形や長円形などを採用する場合には、それらの長手方向が南北方向以外の方向に沿うように設定してもよい。
【００６１】
〔３〕スタンド２及び屋根４の平面視形状は、フィールド１の平面視形状などに応じて、矩形の枠状やオーバル形の枠状などを採用してもよい。
【００６２】
〔４〕屋根４に備える開口３の平面視形状は、フィールド１の平面視形状などに応じて、矩形や正方形などの四角形、又は、卵形や長円形や楕円形などのオーバル形状、などを採用してもよい。
【００６３】
〔５〕屋根４は、その全周にわたって同じ勾配で同じ高さに位置するように構成してもよい。又、スタンド２における少なくとも一部の上方を覆わない領域を有するように構成してもよい。
【００６４】
〔６〕屋根４を、その全周にわたってフィールド１から離れる側が低くなる勾配屋根に構成し、かつ、この屋根４におけるフィールド側の端部４ａに、この端部４ａから下方に延出する遮音壁１６を、フィールド側の端部４ａに沿って不連続的に備えるように構成してもよい。更に、この構成において、遮音壁１６と屋根４とで囲まれた空間をスタンド２に開放するように構成してもよい。
【００６５】
〔７〕屋根４は、各第１屋根部４Ａの下方に対応する第２屋根部４Ｂが入り込んで、第１屋根部４Ａと第２屋根部４Ｂとが平面視で重なり合う領域を有するように構成してもよい。
【００６６】
〔８〕屋根４は、スタジアムの南北方向及び東西方向に配置する各第２屋根部４Ｂのうちの少なくともいずれか１つを各第１屋根部４Ａの設置高さよりも低い高さに設置し、残りの第２屋根部４Ｂを各第１屋根部４Ａの設置高さと同じ高さに設置するように構成してもよい。
【００６７】
〔９〕遮音壁１６は、屋根４におけるフィールド側の端部となる各第１屋根部４Ａのフィールド側の端部４ａと各第２屋根部４Ｂのフィールド側の端部４ｂのうち、各第２屋根部４Ｂのフィールド側の端部４ｂに、それらの端部４ｂに沿って備えることにより、不連続的に備えるようにしてもよい。
【００６８】
〔１０〕遮音壁１６は、屋根４における東西南北のいずれか一方において不連続部を有するように構成してもよい。又、屋根４における東西方向又は南北方向において不連続部を有するように構成してもよい。
【００６９】
〔１１〕遮音壁１６は、各第１支持梁８が有する複数の三角形又は逆三角形の空間の全てを金属製の折板１３で塞ぐことによって構成してもよい。又、折板１３の表面に吸音シートを貼り付けるようにしてもよい。
【００７０】
〔１２〕遮音壁１６は、各第１支持梁８が有する複数の三角形又は逆三角形の空間を、吸音性の高いグラスウールなどを採用した吸音ボードで塞ぐことによって構成してもよい。又、各第１支持梁８などを利用せずに専用の部材で構成してもよい。
【産業上の利用可能性】
【００７１】
本発明は、フィールドと、前記フィールドを囲むスタンドと、前記フィールドの上方に開口を有する状態で前記スタンドの上方を覆う屋根とを備えるサッカー専用スタジアム、フィールドの外周にトラックを備えた陸上競技場、ラグビー場、野球場、などの各種のスタジアムに適用することができる。
【符号の説明】
【００７２】
１    フィールド
１Ａ  四辺部（メインスタンド側）
１Ｂ  四辺部（バックスタンド側）
１Ｃ  四辺部（ホームスタンド側）
１Ｄ  四辺部（アウェイスタンド側）
１Ｅ  四隅部
２    スタンド
３    開口
４    屋根
４Ａ  屋根部
４Ｂ  別の屋根部
４ａ  フィールド側の端部
１０  屋根板
１６  遮音壁
Ａ１  スタンドの隅部領域
Ａ２  スタンドの辺部領域
【図１】
0006378614.tif 000002
【図２】
0006378614.tif 000003
【図３】
0006378614.tif 000004
【図４】
0006378614.tif 000005
【図５】
0006378614.tif 000006
【図６】
0006378614.tif 000007